(57)【要約】【課題】  インプレーのゴルフボールをより正確に目標ラインに向けて打ち出すことが可能なパタークラブ及びパターヘッドを提供する。【解決手段】  パターヘッド２０の上面（クラウン面）２１Ｂに、ゴルフボールＧ１が嵌合する嵌合孔３０を備え、この嵌合孔３０に嵌合されたゴルフボールＧ１をねじ４１で固定可能に構成した。【選択図】      図２
2006334067.tif 000002
【特許請求の範囲】
【請求項１】
クラブシャフトの先端にパターヘッドを備え、
このパターヘッドが、その上面部にゴルフボールを含む嵌合体が嵌合する嵌合部を備えると共に、この嵌合部に嵌合された嵌合体を交換自在に固定する固定具を備えることを特徴とするパタークラブ。
【請求項２】
前記嵌合部は、前記パターヘッドを上下に貫通する貫通孔を有し、この貫通孔は、当該貫通孔に挿入された嵌合体を、前記パターヘッドのソール面より上方の位置で保持する形状に形成されていることを特徴とする請求項１に記載のパタークラブ。
【請求項３】
前記嵌合部は、当該嵌合部に嵌合された嵌合体を、前記パターヘッドのフェース面の後方であって、かつ、前記フェース面に近接する所定距離の範囲内に位置させるように形成されていることを特徴とする請求項１又は２に記載のパタークラブ。
【請求項４】
前記嵌合部には、インプレーのゴルフボールと同種のゴルフボールが嵌合可能であることを特徴とする請求項１乃至３のいずれかに記載のパタークラブ。
【請求項５】
前記固定具は、前記嵌合部に嵌合された嵌合体を、前記パターヘッドの背面側からフェース面側に押圧して前記嵌合部に固定させるねじであることを特徴とする請求項１乃至４のいずれかに記載のパタークラブ。
【請求項６】
上面部にゴルフボールを含む嵌合体が嵌合する嵌合部を備えると共に、この嵌合部に嵌合された嵌合体を交換自在に固定する固定具を備えることを特徴とするパターヘッド。
【発明の詳細な説明】
【技術分野】
【０００１】
本発明は、パタークラブ及びパターヘッドに関する。
【背景技術】
【０００２】
従来より、パターヘッドの上面（クラウン面）に、フェース面に対して直角のライン（以下、ガイドラインという）を設けたパタークラブが知られている（例えば、特許文献１）。この種のパタークラブでは、プレイヤーがガイドラインを目標ライン上に沿わせて構え、この構えから打球することによって、フェース面を目標ラインと直角にし、理論上はゴルフボールを目標ライン上に沿って転がすことが可能となる。
【特許文献１】特開２００１−１７８８５７号公報
【発明の開示】
【発明が解決しようとする課題】
【０００３】
しかしながら、フェース面にガイドラインを設けてもゴルフボールを正確に目標ラインに向けて打ち出すことは未だ難しかった。一方、ゴルフボールは複数のメーカのものがあり、インプレーに使用するゴルフボールもその時々によって変更される場合がある。このようなインプレーに使用するゴルフボールに合わせて、集中力が得やすいパタークラブを提供することができれば、ユーザにとってより簡易にゴルフボールを正確に打ち出すことが可能になると考えられる。
【０００４】
本発明は、上述した事情に鑑みてなされたものであり、インプレーのゴルフボールをより正確に目標ラインに向けて打ち出すことが可能なパタークラブ及びパターヘッドを提供することを目的としている。
【課題を解決するための手段】
【０００５】
上述課題を解決するため、本発明は、クラブシャフトの先端にパターヘッドを備え、このパターヘッドが、その上面部にゴルフボールを含む嵌合体が嵌合する嵌合部を備えると共に、この嵌合部に嵌合された嵌合体を交換自在に固定する固定具を備えることを特徴とする。この構成によれば、パターヘッドが、その上面部にゴルフボールを含む嵌合体が嵌合する嵌合部を備えると共に、この嵌合部に嵌合された嵌合体を交換自在に固定する固定具を備えるので、パターヘッドに固定されるゴルフボール等の嵌合体をインプレーのゴルフボールを打撃する際のガイドとして使用でき、しかも、このガイドに使用する嵌合体をインプレーに使用するゴルフボールと同種のゴルフボールに交換できる。
【０００６】
上記構成において、前記嵌合部が、前記パターヘッドを上下に貫通する貫通孔を有し、この貫通孔が、当該貫通孔に挿入された嵌合体を、前記パターヘッドのソール面より上方の位置で保持する形状に形成することが好ましい。また、前記嵌合部が、当該嵌合部に嵌合された嵌合体を、前記パターヘッドのフェース面の後方であって、かつ、前記フェース面に近接する所定距離の範囲内に位置させるように形成することが好ましい。さらに、前記嵌合部には、インプレーのゴルフボールと同種のゴルフボールが嵌合可能であることが好ましい。さらにまた、前記固定具は、前記嵌合部に嵌合された嵌合体を、前記パターヘッドの背面側からフェース面側に押圧して前記嵌合部に固定させるねじが好ましい。
【０００７】
また、本発明は、パターヘッドにおいて、上面部にゴルフボールを含む嵌合体が嵌合する嵌合部を備えると共に、この嵌合部に嵌合された嵌合体を交換自在に固定する固定具を備えることを特徴とする。この構成によれば、パターヘッドが、その上面部にゴルフボールを含む嵌合体が嵌合する嵌合部を備えると共に、この嵌合部に嵌合された嵌合体を交換自在に固定する固定具を備えるので、パターヘッドに固定される嵌合体をインプレーのゴルフボールを打撃する際のガイドとして使用でき、しかも、このガイドに使用する嵌合体をインプレーに使用するゴルフボールと同種のゴルフボールに交換できる。
【発明の効果】
【０００８】
本発明は、パターヘッドが、その上面部にゴルフボールを含む嵌合体が嵌合する嵌合部を備えると共に、この嵌合部に嵌合された嵌合体を交換自在に固定する固定具を備えるので、インプレーのゴルフボールをより正確に目標ラインに向けて打ち出すことができる。
【発明を実施するための最良の形態】
【０００９】
以下、図面を参照して本発明の実施形態を説明する。
図１は、本発明の実施形態に係るパタークラブ１０の斜視図である。パタークラブ１０は、クラブシャフト１１を備え、このクラブシャフト１１の一端側にはグリップ１２が設けられ、他端にはパターヘッド２０が連結されている。
【００１０】
パターヘッド２０は、図２に示すように、ゴルフボールの打撃面となるフェース面２１Ａを備えると共に、このフェース面２１Ａの直後に、ゴルフボール（嵌合体）を嵌合自在な嵌合孔３０を備えている。さらに、このパターヘッド２０には、パターヘッド２０の背面から嵌合孔（嵌合部）３０に貫通するねじ孔４０が形成され、このねじ孔４０には、六角穴付きねじ（以下、ねじ（固定具）という）４１が螺合される。
以下、説明の便宜上、嵌合孔３０に嵌合されるゴルフボールを符号Ｇ１を付して示し、フェース面２１Ａで打撃するゴルフボール（すなわち、インプレーに使用するゴルフボール）を符号Ｇ２を付して示す。なお、いずれのゴルフボールＧ１、Ｇ２もゴルフ規格に沿ったゴルフボール（直径に関しては1．680インチ（42．67ミリメートル）以上）である。
【００１１】
以下、パターヘッド２０を詳述する。図３（Ａ）はパターヘッド２０の上面図、図３（Ｂ）は背面図、図３（Ｃ）は裏面図、図３（Ｄ）は側面図である。
パターヘッド２０は、アルミ合金やステンレス鋼等の金属材から形成され、上面２１Ｂの角部にクラブシャフト連結用の有底穴２２が形成され、フェース面２１Ａの水平方向略中央位置の後側に上記嵌合孔３０が形成される。
この嵌合孔３０は、図４に示すように、パターヘッド２０の上面（クラウン面）２１Ｂから下面（ソール面）２１Ｃに渡って貫通する貫通孔、つまり、パターヘッド２０を上下に貫通する貫通孔に形成され、この貫通孔の上部は、上面（クラウン面）２１Ｂから下面（ソール面）２１Ｃ側に行くに従って直径が小さくなるテーパー孔３０Ａに形成され、この貫通孔の下部は、ゴルフボールＧ１の直径ＤＧより小さい径Ｄ１の孔３１Ｂに形成されている。
【００１２】
より具体的には、上記テーパー孔３０Ａは、上端直径（最大直径）Ｄ２がゴルフボールＧ１の直径ＤＧと略同一に形成され、このテーパー孔３０Ａに挿入されたゴルフボールＧ１が、下面（ソール面）２１Ｃより上方の位置で保持されるように傾斜角θが設定され、これにより、嵌合孔３０に挿入されたゴルフボールＧ１は、その下半分を嵌合孔３０に埋設した状態で、かつ、ゴルフボールＧ１の下端が下面（ソール面）２１Ｃより上方位置で保持され、スイングの際にゴルフボールＧ１が地面等にぶつかることが確実に回避される。
【００１３】
また、パターヘッド２０には、図３（Ａ）〜（Ｄ）に示すように、上記嵌合孔３０の背面側に、嵌合孔３０から離れるに従って徐々に幅狭になる略三角状の延在部２３が一体に形成され、この延在部２３には、延在部２３の最背面２３Ａから嵌合孔３０に渡って貫通する上記ねじ孔４０が形成されている。このねじ孔４０は、フェース面２１Ａに対して直角に延び、かつ、このねじ孔４０の高さＨ１が、当該雄ねじ孔４０に螺合されたねじ４１（図２参照）によって、嵌合孔３０に嵌合されたゴルフボールＧ２をフェース面２１Ａに向けて押圧可能な高さに設定されている。これによって、ねじ４１によってゴルフボールＧ２を嵌合孔３０に容易に固定することができる。また、上記延在部２３を設けたことにより、パターヘッド２０の重量を適切な重量に調整できると共に、ねじ孔４０の長さを長くでき、ねじ４１を緩み難くすることができる。なお、この延在部２３を省略してもよい。
【００１４】
また、上記延在部２３の上面（クラウン面）には、図５に示すように、パターヘッド２０の中心軸ＬＭ（フェース面２１Ａに対して垂直の中心軸）上に頂点３５Ａが位置する三角マーク３５が設けられると共に、嵌合孔３０の両脇には、フェース面２１Ａに垂直なライン３６が各々設けられ、これら三角マーク３５及びライン３６によって、同図に示すように、嵌合孔３０に配置されたゴルフボールＧ１に付されるブランド名等の文字列（図中、「ＡＡＡ」により示す）Ｘ１を、上記中心軸ＬＭ上に容易に揃えることが可能となっている。
このようにゴルフボールＧ１の文字列Ｘ１を中心軸ＬＭに揃え、かつ、パッティング対象のゴルフボールＧ２（インプレーのゴルフボール）の文字列Ｘ２を目標ラインに揃えておくことにより、プレイヤーはゴルフボールＧ２の中心を容易に打撃でき、目標ラインに正確に打ち出すことが可能となる。なお、上記マーク３５、３６は、上記形状に限らず、任意の形状にしてもよく、また、上記マーク３５、３６を省略してもよい。
【００１５】
さらに、このパターヘッド２０は、図３（Ｃ）に示すように、下面（ソール面）２１Ｃの両サイド角部が斜めにカットされて両端カット部３５Ｌ、３５Ｒが設けられると共に、下面（ソール面）２１Ｃの後端角部が斜めにカットされて後端カット部３６Ｌ、３６Ｒが設けられる。これらカット部３５Ｌ、３５Ｒ、３６Ｌ、３６Ｒを設けることにより、このパタークラブ１０をプレイヤーがスイングした場合に、パターヘッド２０が地面等に引っ掛かってしまう場合を回避することができる。
【００１６】
以上説明したように、本実施形態に係るパタークラブ１０は、パターヘッド２０の上面（クラウン面）２１Ｂに、ゴルフボールＧ２が嵌合する嵌合孔３０を備え、この嵌合孔３０に嵌合されたゴルフボールＧ１をねじ４１で固定できるように構成したので、ゴルフボールＧ１を簡易かつ確実にパタークラブ１０に固定することできる。これにより、プレイヤーは、パターヘッド２０に固定されたゴルフボールＧ１をインプレーのゴルフボールＧ２を打撃する際のガイドとして使用でき、しかも、このガイドに使用するゴルフボールＧ１をインプレーと同種のゴルフボールＧ２に交換できるので、ガイドラインのみのパタークラブを用いる場合に比して、インプレーのゴルフボールＧ２を目標ラインに向けて打ち出し易くなる。
ここで、上記嵌合孔３０は、ゴルフボールＧ１をできるだけフェース面２１Ａに近接して配置できるようにフェース面２１に近接することが好ましく、具体的には、フェース面２１Ａからの最短距離が１ｃｍ以下、より好ましくは５ｍｍ以下が好ましい。
【００１７】
さらに、本実施形態では、上記嵌合孔３０が貫通孔であるため、この嵌合孔３０に水やゴミ等が溜まるのを回避でき、しかも、この嵌合孔３０の裏側から指を挿入して嵌合孔３０に嵌合されたゴルフボールＧ１を容易に取り出したり、ゴルフボールＧ１の文字列Ｘ１の向きを好みの向きに調整することができる。
例えば、文字列Ｘ１の向きをパターヘッド２０の中心軸ＬＭ上に揃えることにより、図５に示したように、目標ラインに沿って文字列Ｘ２が配置されたインプレーのゴルフボールＧ２を、より正確に目標ラインに向けて打ち出し易くなる。
【００１８】
なお、上述した実施形態は、あくまで本発明の一態様に過ぎず、本発明の範囲内で任意に変形が可能である。例えば、上述した実施形態では、嵌合孔３０の上部をテーパー孔に形成する場合を例示したが、要は、ゴルフボールＧ１をパターヘッド２０の下面（ソール面）２１Ｃより上方位置で保持可能な範囲で、嵌合孔３０に様々な形状を採用でき、例えば、嵌合孔３０の上部をゴルフボールＧ１の外径と略同一若しくは大きい径の同一径の貫通孔にして、嵌合孔３０の下部をゴルフボールＧ１が抜けない大きさ又は形状の孔にしたり、嵌合孔３０の途中にゴルフボールＧ１の脱落を防止する突起を設けてもよい。
【００１９】
また、上述した実施形態では、ゴルフボールＧ１を固定する固定具として、六角穴付きねじ４１を使用する場合を例示したが、六角ボルト、プラスねじ、マイナスねじ、蝶ねじ等の任意のねじを広く適用でき、また、それ以外の固定具を適用してもよい。また、この種の固定具の使用本数、固定具の固定位置も適宜変更が可能である。但し、この種の固定具には、プレー中にゴルフボールＧ１が誤操作で外れたりしないように、道具（工具）を使ってゴルフボールＧ１を着脱するものが好ましい。
また、上述した実施形態では、１個のゴルフボールＧ１をパターヘッド２０に交換自在に固定する場合を例示したが、複数のゴルフボールＧ１を交換自在に固定可能にしてもよい。
【００２０】
また、上述した実施形態において、パターヘッド２０の形状は上記形状に限定されず、丸型、角型、三角型等の他の形状を広く適用することができる。また、上述した実施形態では、嵌合孔３０にゴルフボールＧ１を固定する場合について述べたが、プレイヤーの好み等に応じて、ゴルフボールＧ１以外の嵌合体、例えば、ゴルフボールと略同径の球体、又は、円柱形状又は円板形状等の嵌合体を固定してもよい。また、この嵌合体に、プレイヤーの写真やネーミング等の絵柄や文字を付しておくことによって、パタークラブ１０のユーザを容易に識別可能にでき、キャディさん等がパタークラブ１０を間違えてしまう場合を防止できる、といったことも可能になる。
【図面の簡単な説明】
【００２１】
【図１】本発明の実施形態に係るパタークラブの斜視図である。
【図２】パターヘッドをその周辺構成と共に示す図である。
【図３】（Ａ）はパターヘッド２０の上面図、（Ｂ）は背面図、（Ｃ）は裏面図、（Ｄ）は側面図である。
【図４】パターヘッドの断面図である。
【図５】パターヘッドの説明に供する図である。
【符号の説明】
【００２２】
１０…パタークラブ、１１…クラブシャフト、１２…グリップ、２０…パターヘッド、２１Ａ…フェース面、２１Ｂ…上面（クラウン面）、２１Ｃ…下面（ソール面）、２３…延在部、３０…嵌合孔（嵌合部）、３０Ａ…テーパー孔、３０Ｂ…貫通孔、４０…ねじ孔、４１…ねじ、Ｇ１、Ｇ２…ゴルフボール。
【図１】
2006334067.tif 000003
【図２】
2006334067.tif 000004
【図３】
2006334067.tif 000005
【図４】
2006334067.tif 000006
【図５】
2006334067.tif 000007